【手続補正書】
【提出日】平成23年9月26日(2011.9.26)
【手続補正１】
【補正対象書類名】特許請求の範囲
【補正対象項目名】全文
【補正方法】変更
【補正の内容】
【特許請求の範囲】
【請求項１】
グリップ部で把持可能な撮像装置と、
前記撮像装置で用いられるアクセサリ機器と、
前記アクセサリ機器を前記撮像装置に取り付けるシューアタッチメントと
を備えた撮像システムであって、
前記撮像装置における前記グリップ部より被写体側に寄った箇所に、シューアタッチメントを固定するアタッチメント固定部が設けられ、
前記アタッチメント固定部に、シューアタッチメントが着脱可能に構成されている
撮像システム。
【請求項２】
前記シューアタッチメントは、前記アタッチメント固定部に取り付けられる本体係合部と、
前記アクセサリ機器を取り付け可能なアクセサリ機器取付部と、
前記本体係合部と前記アクセサリ機器取付部とをつなぐ接合部と
を有する請求項１に記載の撮像システム。
【請求項３】
前記撮像装置を被写体側から見て、前記アクセサリ機器取付部が、グリップ部を把持する手と前後に重なる位置、あるいは真上となる位置に配設されている請求項２に記載の撮像システム。
【請求項４】
前記アタッチメント固定部が、撮像装置のグリップ部が設けられている側面部の、前記グリップ部よりも被写体側の箇所に配設されている請求項１〜３の何れか１項に記載の撮像システム。
【請求項５】
アタッチメント固定部を覆うカバーが撮像装置に開閉自在に設けられ、
前記アタッチメント固定部が、撮像装置の本体部分より外側に突出している突出部から反被写体側に寄った箇所に配設され、突出部からグリップ部にかけてなだらかにつなぐように前記カバーが形成されている請求項１に記載の撮像システム。
【請求項６】
グリップ部で把持可能で、かつアクセサリ機器を取り付けるシューアタッチメントが取り付け可能な撮像装置であって、
前記グリップ部より被写体側に寄った箇所に、前記シューアタッチメントを固定するアタッチメント固定部が設けられている撮像装置。
【請求項７】
前記アタッチメント固定部が、グリップ部が設けられている側面部の、前記グリップ部よりも被写体側の箇所に配設されている請求項６に記載の撮像装置。
【請求項８】
アタッチメント固定部を覆うカバーが開閉自在に設けられ、
前記アタッチメント固定部が、当該撮像装置の本体部分より外側に突出している突出部から反被写体側に寄った箇所に配設され、突出部からグリップ部にかけてなだらかにつなぐように前記カバーが形成されている請求項６に記載の撮像装置。
【手続補正２】
【補正対象書類名】明細書
【補正対象項目名】発明の名称
【補正方法】変更
【補正の内容】
【発明の名称】撮像システムおよび撮像装置
【手続補正３】
【補正対象書類名】明細書
【補正対象項目名】０００１
【補正方法】変更
【補正の内容】
【０００１】
本発明は、撮像装置にアクセサリ機器を取り付けるシューアタッチメントを備えた撮像システムおよび撮像装置に関する。
【手続補正４】
【補正対象書類名】明細書
【補正対象項目名】０００６
【補正方法】変更
【補正の内容】
【０００６】
本発明は、上記課題を解決するもので、アクセサリ機器を取り付けた状態で、撮像装置を手で把持した場合でも前記アクセサリ機器などが手に当接することがなく、かつ、アクセサリ機器を取り付けた場合でも、手に作用する重量バランスが良好である撮像システムおよび撮像装置を提供することを目的とするものである。
【手続補正５】
【補正対象書類名】明細書
【補正対象項目名】０００７
【補正方法】変更
【補正の内容】
【０００７】
上記課題を解決するために本発明の撮像システムは、グリップ部で把持可能な撮像装置と、前記撮像装置で用いられるアクセサリ機器と、前記アクセサリ機器を前記撮像装置に取り付けるシューアタッチメントとを備えた撮像システムであって、前記撮像装置における前記グリップ部より被写体側に寄った箇所に、シューアタッチメントを固定するアタッチメント固定部が設けられ、前記アタッチメント固定部に、シューアタッチメントが着脱可能に構成されていることを特徴とする。
また、本発明の撮像装置は、グリップ部で把持可能で、かつアクセサリ機器を取り付けるシューアタッチメントが取り付け可能な撮像装置であって、前記グリップ部より被写体側に寄った箇所に、前記シューアタッチメントを固定するアタッチメント固定部が設けられていることを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
また、本発明の撮像システムは、前記シューアタッチメントは、前記アタッチメント固定部に取り付けられる本体係合部と、前記アクセサリ機器を取り付け可能なアクセサリ機器取付部と、前記本体係合部と前記アクセサリ機器取付部とをつなぐ接合部とを有することを特徴とする。
【手続補正８】
【補正対象書類名】明細書
【補正対象項目名】００１１
【補正方法】変更
【補正の内容】
【００１１】
また、本発明の撮像システムは、撮像装置を被写体側から見て、前記アクセサリ機器取付部が、グリップ部を把持する手と前後に重なる位置、あるいは真上となる位置に配設されていることを特徴とする。この構成によれば、撮像装置を被写体側あるいは反被写体側に向く方向に見て、アクセサリ機器の重量がほぼ手の真上の位置から作用することとなり、この結果、重量バランスを極めて良好な状態に維持することができる。したがって、アクセサリ機器を取り付けた状態で長時間把持した場合でも、手首等の疲れを最小限に抑えることができる。
【手続補正９】
【補正対象書類名】明細書
【補正対象項目名】００１２
【補正方法】変更
【補正の内容】
【００１２】
また、本発明の撮像システムおよび撮像装置は、前記アタッチメント固定部が、撮像装置のグリップ部が設けられている側面部の、前記グリップ部よりも被写体側の箇所に配設されていることを特徴とする。
また、本発明の撮像システムおよび撮像装置は、アタッチメント固定部を覆うカバーが撮像装置に開閉自在に設けられ、前記アタッチメント固定部が、撮像装置の本体部分より外側に突出している突出部から反被写体側に寄った箇所に配設され、突出部からグリップ部にかけてなだらかにつなぐように前記カバーが形成されていることを特徴とする。この構成により、シューアタッチメントおよびアクセサリ機器を取り付けないときには、カバーを閉じてアタッチメント固定部を覆うことができて、撮像装置の外観品格の低下を防止することができる。また、この構成によって、突出部からグリップ部にかけてなだらかにつなぐカバーにより、撮像装置として違和感を生じさせないような外観を維持できる。また、アクセサリ機器を取り付けない場合には、カバーの外側箇所であるグリップ部よりも被写体側に手を移動させることも可能となり、操作性が向上する。
【手続補正１０】
【補正対象書類名】明細書
【補正対象項目名】００１４
【補正方法】変更
【補正の内容】
【００１４】
以下、本発明の実施の形態に係る撮像システムおよび撮像装置について、図面を参照しながら説明する。ここで、図１および図２は、本発明の実施の形態に係る撮像システムの撮像装置を操作者側から被写体側に向けて斜めに見た（斜め後方から見た）斜視図、および被写体側から操作者側に向けて見た正面図を示す。なお、以下の説明においては、基本的に、被写体側（図１の紙面における右上）を前方、撮像装置を操作する操作者側（図１の紙面における左下）を後方と称し、被写体側を向いた状態で左となる側（図１の紙面における左上となる方向）を左側と称し、被写体側を向いた状態で右となる側（図１の紙面における右下となる方向）を右側と称す。